(57)【要約】第一編地と第二編地がその両端で連続し、第一編地内に部分的に二層以上編地が重なる積層部（４）が成された筒状編地（１１）を、全針のループ配置で形成するステップ、積層部（４）が形成されるウエールのループ及び積層部（４）が形成されるウエールより編地側端側に位置するウエールのループを移動させて積層部（４）が形成されるウエールのループの形成に使用する針間に目移し用の空針が配置される針抜きのループ配置とする編幅拡幅ステップ（ｓ３）、積層部（４）が形成されるウエールのループを編成完了時に積層部が形成されるウエール以外の領域のループと同じ大きさのループとなるように細かなループとして形成しつつ第一編地と第二編地を編成するステップ（ｓ４）により編成することで部分的に編地が多層に重なる積層部（４）を含む編地の部分毎の編地の風合いに差を発生させることをなくす。
2004020720.tif 000002
【特許請求の範囲】
【請求項１】
左右方向に延び、対向する少なくとも前後一対の針ベッドを有し、前記針ベッドはそれぞれ多数の針を持ち、かつ前記針ベッドの少なくとも一方が左右にラッキング可能で、前記針ベッド間で編目の目移しが可能な横編機を用いて第一編地と第二編地がその両端で連続するとともに、第一編地内に部分的に二層以上編地が重なる積層部が成された筒状編地を編成する方法であって、
１）全針のループ配置で形成するステップ、
２）積層部が形成されるウエールのループ及び積層部が形成されるウエールより編地側端側に位置するウエールのループを移動させて積層部が形成されるウエールのループの形成に使用する針間に目移し用の空針が配置される針抜きのループ配置とする編幅拡幅ステップ、
３）積層部が形成されるウエールのループを編成完了時に積層部が形成されるウエール以外の領域のループと同じ大きさのループとなるように細かなループとして形成しつつ第一編地と第二編地を編成するステップ、
を含むことを特徴とする筒状編地の編成方法。
【請求項２】
請求項１に記載の筒状編地の編成方法であって、前記編幅拡幅ステップにおいて積層部の形成開始箇所で積層部が形成されるウエールのループ及び積層部が形成されるウエールより編地側端側に位置するループを移動させて積層部が形成されるウエールのループをループの形成に使用する針間に目移し用の空針が配置される針抜きのループ配置とすることを特徴とする筒状編地の編成方法。
【請求項３】
請求項１に記載の筒状編地の編成方法であって、積層部の編成完了後に積層部のループを全針のループ配置に戻す編幅減幅ステップを行うことを特徴とする筒状編地の編成方法。
【請求項４】
請求項１乃至請求項３の何れか一つの項に記載の筒状編地の編成方法であって、第一編地の積層部が形成されるウエールのループおよび積層部が形成されるウエールより編地側端側に位置するループと、第二編地の積層部と向き合う部分のウエールのループ及び積層部と向き合う部分のウエールより編地側端側に位置するウエールのループをそれぞれ対向する針ベッドに目移しし、前後少なくとも何れか一方の針ベッドをラッキングし所定ピッチラッキングを行う毎に、第一編地の積層部が形成されるウエールのループ及び第二編地の積層部が形成されるウエールと向き合う部分のウエールのループを元の針ベッドに移し戻し、積層部が形成されるウエール及び積層部と向き合う部分ウエールのループを針抜きのループ配置とすることを特徴とする筒状編地の編成方法。
【請求項５】
請求項１乃至請求項３の何れか一つの項に記載の筒状編地の編成方法であって、編幅拡幅ステップまたは／および編幅減縮ステップが、編幅が広い側の編地または編幅が広くなると予想される側の編地の編地側端側のループから順に他方の針ベッド上に係止される編地側端のループの外側に目移しし、第一編地の編幅と第二編地の編幅の差が広がらないようにループを移動させる送り込み編成を行うステップを含むことを特徴とする筒状編地の編成方法。
【発明の詳細な説明】
【技術分野】  本発明は横編機上で第一編地と第二編地がその両端で連続するとともに、第一編地内に部分的に二層以上編地が重なった積層部が成される筒状編地を編成する方法に関する。
【背景技術】  横編機上で編成される編地同士を編成工程の間に接合された状態で編成することで後の縫製工程を省略ないし簡略化することができる。たとえばベストの前身頃にポケットを形成し、ポケット編地部とポケット編地部と重なるポケット内編地部と後身頃が三層に重なる編地を編成することができる。このように横編機上でポケットや衿等のパーツを形成し縫製工程を必要としない編地は無縫製編地と呼ばれる。
対向する前後一対の針ベッド上に上部ベッドを備えた四枚ベッド横編機で前後身頃部が両端で連続する筒状の編地として編成するとともに、前身頃部にポケットを形成した三層状の編地を編成する方法が知られている。上記の様にポケットが形成された編地を編成する方法として、針抜き編成と呼ばれる編成テクニックが採用される。針抜き編成とは、例えば前後針ベッドの奇数番目の針に前側編地のループを割り当て、偶数番目の針に後編地のループを割り当て、前側編地を編成する際に後側編地のループを全て後針ベッド上の偶数番目の針に付属させ、後側編地を編成する際には前編地のループを全て前針ベッド上の奇数番目の針に付属させて編成する方法である。
上記ポケット部で編地が三層に重なる編地を針抜き編成により編成する場合、ポケット表側部およびポケット表側部に隠れるポケット裏側部をそれぞれポケット部の周りの部分（針１本につき１ウエール）の半分の密度（針２本につき１ウエール）で編成することが考えられる。この方法ではポケットの形成が開始される箇所までをループの形成に使用する針間に目移し用の空針を配置しない全針のループ配置で編成する。そしてポケットが形成される箇所では前側編地編成用の針をポケット用編地部編成用の針と、ポケット用編地部に隠れるポケット内編地部形成用の針に交互に振り分けて編成するのである。この方法ではポケット編地部とポケット内編地部がそれぞれ１本置きの針で二層に重なって形成されるため、ポケット編地部及びポケット内編地部は元の半分のウエール数となる。このようにして編成された編地は、ポケット編地部及びポケット内編地部が周りの部分と比べてシンカーループが大きく伸ばされ、編地が透けたように見えるため商品価値が著しく下落する。他の方法として編機上でポケットを形成することなく別途ポケット用の編地を編成し縫製作業により縫いつける方法があるが、工程数が増加しコストアップの原因となる。
また、他の方法としてポケット部を含む編地全体を針抜き状態で編成することでポケット部とそれ以外の部分を同じ編密度で編成する方法がある。しかしこの方法では編成に必要な針本数が増加し、針ベッド長の大きな横編機でなければ編成できない。しかも編成された編地は腰がなく質感に乏しい編地となってしまう。編成に使用する横編機が二枚ベッド横編機の場合には三層または四層の編地を編成する場合、それぞれの編地の編成に３本に１本、または４本に１本の針を使用するループ配置で編成する。二枚ベッド横編機では同じ編地を編成する場合でも四枚ベッド横編機より長い針ベッド長が必要となり、編成に必要な針本数が増加する。また、ニードルループに対してシンカーループが大きくなり過ぎる問題が四枚ベッド横編機で編成する場合に比べてより顕著となる。
本発明は上記課題に鑑みて考えられたものであり、部分的に編地が多層に重なる積層部を含む編地において、異なるループ配置で編成される部分毎の編地の風合いに差を発生させることなく、従来の編成方法に比べて短い針ベッド長の横編機で編成可能な編成方法を開示することを目的とする。
【発明の開示】
上記した問題を解決するため、本発明の筒状編地の編成方法は、左右方向に延び、対向する少なくとも前後一対の針ベッドを有し、前記針ベッドはそれぞれ多数の針を持ち、かつ前記針ベッドの少なくとも一方が左右にラッキング可能で、前記針ベッド間で編目の目移しが可能な横編機を用いて第一編地と第二編地がその両端で連続するとともに、第一編地内に部分的に二層以上編地が重なる積層部が成された筒状編地を編成する方法であって、
１）全針のループ配置で形成するステップ、
２）積層部が形成されるウエールのループ及び積層部が形成されるウエールより編地側端側に位置するウエールのループを移動させて積層部が形成されるウエールのループの形成に使用する針間に目移し用の空針が配置される針抜きのループ配置とする編幅拡幅ステップ、
３）積層部が形成されるウエールのループを編成完了時に積層部が形成されるウエール以外の領域のループと同じ大きさのループとなるように細かなループとして形成しつつ第一編地と第二編地を編成するステップ、
を含むことを特徴とする。
上記した発明の構成によれば、筒状編地を編成する際に採られる通常の編成方法により第一編地と第二編地が両端で連続する筒状の編地として編成する。通常の編成方法とは前後一対の針ベッドを備えた二枚ベッド横編機では、針抜き編成により筒状の編地を編成する方法であり、前後一対の針ベッド上に上部ベッドを備えた四枚ベッド編機ではループの形成に使用する針間に目移し用の空針を配置せずに編成を行う全針編成である。積層部の形成に先だって全針のループ配置にある積層部のループ配置を針抜きのループ配置とする。積層部内のループと、これらループより編地の側端側に位置するループを対向する針ベッド上に目移しし、少なくとも前後いずれか一方の針ベッドをラッキングする。そして適宜ピッチラッキングを行う毎に積層部のループを元の針ベッドに移し戻す。そしてラッキングとループの移し戻しを繰り返して積層部が適宜本数毎の針に係止される針抜きのループ配置とする。適宜本数毎の針とは前記二枚ベッド横編機で針抜き編成により三層に形成する場合には２本置きの針に、四層に形成する場合には３本置きの針に係止される状態である。四枚ベッド横編機では１本置きの針に係止される状態である。なお、ここで１本置き、２本置き、３本置きの針としたのは最低限の数であり、これ以上ウエール間隔を空けて編成しても編地の質感を損なわなければそれ以上間隔を空けて編成することも可能である。
続いて、前記編成により積層部内に形成された空針に、積層部に新たに形成する編地の編み出しとなるループを形成する。積層部が二層（第二編地部と合わせて計三層）の場合には１層分のループを形成し、積層部が三層（第二編地部と合わせて計四層）の場合には、先に１層分のループを新たに形成した後、そのループを編成の邪魔にならない位置に移動させ、もう１層分のループを形成する。そして、前後の針ベッド間で編成の邪魔になるループを対向する針ベッドへ移動させつつ三層乃至四層の編地を編成する。
この時、積層部のループを編成完了時に積層部のループが積層部以外のループと同じ大きさのループとなるように細かなループとして形成する。このようにすることで針抜き状態で形成される部分と全針状態で編成されるそれ以外の部分のループの風合いと同じにできる。
また、前記編幅拡幅ステップにおいて積層部の形成開始箇所で積層部が形成されるウエールのループ及び積層部が形成されるウエールより編地側端側に位置するループを移動させて積層部が形成されるウエールのループをループの形成に使用する針間に目移し用の空針が配置される針抜きのループ配置とすることも特徴の一つである。
また、積層部の編成完了後に積層部のループを全針のループ配置に戻す編幅減幅ステップを行うことも特徴の一つである。
また、第一編地の積層部が形成されるウエールのループおよび積層部が形成されるウエールより編地側端側に位置するループと、第二編地の積層部と向き合う部分のウエールのループ及び積層部と向き合う部分のウエールより編地側端側に位置するウエールのループをそれぞれ対向する針ベッドに目移しし、前後少なくとも何れか一方の針ベッドをラッキングし所定ピッチラッキングを行う毎に、第一編地の積層部が形成されるウエールのループ及び第二編地の積層部が形成されるウエールと向き合う部分のウエールのループを元の針ベッドに移し戻し、積層部が形成されるウエール及び積層部と向き合う部分ウエールのループを針抜きのループ配置とすることも特徴の一つである。
また、編幅拡幅ステップまたは／および編幅減縮ステップが、編幅が広い側の編地または編幅が広くなると予想される側の編地の編地側端側のループから順に他方の針ベッド上に係止される編地側端のループの外側に目移しし、第一編地の編幅と第二編地の編幅の差が広がらないようにループを移動させる送り込み編成を行うステップを含むことも特徴の一つである。
【図面の簡単な説明】  図１のａはタイツ１を示し、ｂはａのＸ−Ｘ箇所における矢視方向の断面図、ｃはａのタイツ１の針ベッド上の編幅の変化を示す図であり、ｄは積層部編成時のループ配置を示す。図２は編成の流れを示すフローチャート、図３〜９は第一実施例に示す編成コース図、図１０のａは第二実施例で編成する筒状編地１１を示し、図１０のｂはａのＹ−Ｙ線箇所の矢視方向の断面図、ｃはａの筒状編地１１の針ベッド上での編幅の変化を示す図で、ｄは積層部編成時のループ配置を示す。図１１〜１６は、第二実施例に示す編成コース図である。
【発明を実施するための最良の形態】  本発明の第一実施例を以下図面とともに詳細に説明する。第一実施例では開口部５を備えたタイツ１を編成する。図１−ａは本実施例により編成するタイツ１を示す。図１−ｂは図１−ａのＸ−Ｘ箇所における矢視方向の断面図である。図１−ｃは図１−ａのタイツ１の針ベッド上の編幅の変化を示す図である。図１−ｄは積層部編成時のループ配置を示す図である。図２は編成の流れを示すフローチャートである。図３〜９は第一実施例を示す編成コース図である。第一実施例で編成するタイツ１は図示せぬ爪先側から編成が開始される。爪先側から左右の脚部６ａ，６ｂが並行して編成され、マチ部７で左右の脚部６ａ，６ｂ間の領域でマチ部７の編み出しを行う。以後、左右の脚部６ａ，６ｂとマチ部７を合わせて一つの筒状の編地として編成する。前側編地部２には開口部５が形成される。開口部５では表層部２ａ、中層部２ｂ、裏層部２ｃが三層に重なる積層部４が形成される。表層部２ａと中層部２ｂは両端で連続するチューブ状に形成される。積層部４の編組織は任意であるが、本実施例では編地全体を平編み組織で編成する場合を説明する。以下に示す実施例では、説明の便宜上実際の編成に使用される針本数より極少数の針を使用して編成する場合を説明する。
タイツ１は対向する少なくとも前後一対の針ベッドを有し、前記針ベッドはそれぞれ多数の針を持ち、かつ前記針ベッドの少なくとも一方が左右にラッキング可能で、前記針ベッド間で編目の目移しが可能な横編機において編針を進退動させることで編地を編成する。本実施例では下部前ベッドＦＤ、下部後ベッドＢＤ、上部前ベッドＦＵ、下部後ベッドＢＵの四枚の針ベッドが配置された横編機を使用する。アルファベットの大文字は下部前ベッドＦＤ、上部前ベッドＦＵの針を、小文字は下部後ベッドＢＤ、上部後ベッドＢＵの針をそれぞれ示す。上下方向の矢印は目移し方向を示し、左右方向の矢印は給糸方向を示す。後ベッドの右側に付す数字はコース０に示す針ベッド原点位置からのラッキングピッチを示す。
まず、図２を使用して編成の大まかな流れを説明する。図３のコース１に示すように積層部４の形成前は下部前ベッドの針で全針のループ配置で前側編地部２を、次に下部後ベッド上の針で同じく全針のループ配置で後側編地部３を編成し、これを繰り返して環状に編成する（ｓ１）。続いて積層部４の編成を開始する箇所まで編成を行った後（ｓ２）、編目を移動させ積層部のみを針抜きの状態としたループ配置とする（編幅拡幅ステップｓ３）。そして積層部４を含む編地部分を編成し（ｓ４）、積層部４の最終コースまで編成が完了すると（ｓ５）、編目の移動（編幅減幅ステップｓ６）を行い積層部４を全針のループ配置へと戻す。そして全針のループ配置で残る部分の編成を行ってタイツ１を編成する（ｓ７）。なお、全針のループ配置とは四枚ベッド横編機で編成する場合には前側編地部および後側編地部のループの形成に使用する針間に目移し用の空針を配置しない状態を意味し、針抜きのループ配置とはループの形成に使用する針間に目移し用の空針が１本以上配置されることを意味する。二枚ベッド横編機で二層の編地を編成する場合、前側編地部と後側編地部形成用の針を交互に配置して編成を行うため、二枚ベッド横編機で編成する場合における全針のループ配置とは前側編地部用の針間に後側編地部用の針が配置され、後側編地部用の針間に前側編地部用針が配置される状態を意味する。二枚ベッド横編機における針抜きのループ配置とは前側編地部編成用の針間に後側編地部編成用の空針以外に目移し用の空針が配置され、後側編地部編成用の針間に前側編地部編成用の空針以外に目移し用の空針が配置される状態を意味する。
以下、編成コース図３〜９とともに第一実施例を説明する。第一実施例ではコース０がｓ１、コース１〜６がｓ３、コース７〜２６がｓ４、コース２７〜３７がｓ６、コース３８がｓ７に相当する。図３のコース０は積層部４の形成開始前の編成を示す。積層部４のループ及び積層部４に隠れる後側編地３ａのループを黒丸で示す。ここでは前後両針ベッドの針に環状に給糸して筒状に編成する。積層部４の形成を開始する。
コース１では編地中央に位置する前後の針ＬおよびＩより左側に位置する下部後ベッドの針ｃ〜ｋのループを上部前ベッドＦＵの針Ｃ〜Ｋに目移しするとともに、編地中央より右側に位置する下部前ベッドＦＤの針Ｍ〜Ｕのループを上部後ベッドＢＵの針ｍ〜ｕに目移しする。コース２では後ベッドを右１ピッチにラッキングし上部前ベッドＦＵの針Ｋのループを下部後ベッドの針ｊに、上部後ベッドＢＵの針ｍのループを下部前ベッドＦＤの針Ｎに目移しする。これにより積層部４のループ、及び積層部４と向き合う部分の後側編地部３のループがそれぞれ１本置きの針に移動する。コース３では後ベッドを右２ピッチにラッキングし、上部前ベッドＦＵの針Ｃ〜Ｊのループを下部後ベッドの針ａ〜ｈに、上部後ベッドＢＵの針ｎ〜ｕのループを下部前ベッドＦＤの針Ｐ〜Ｗに目移しする。次にコース４ではラッキング方向の変更に先立って下部前ベッドＦＤの針Ｃ〜Ｋのループを上部後ベッドＢＵの針ｃ〜ｋに、下部後ベッドの針ｏ〜ｗのループを上部前ベッドＦＵの針Ｏ〜Ｗに目移しする。コース５では上部後ベッドＢＵの針ｋのループを下部前ベッドＦＤの針Ｊに、上部前ベッドＦＵの針Ｏのループを下部後ベッドの針ｐに目移しする。コース６で上部後ベッドＢＵの針ａ〜ｈのループを下部前ベッドＦＤの針Ａ〜Ｈへ、上部前ベッドＦＵの針Ｐ〜Ｗのループを下部後ベッドＢＤの針ｐ〜ｗに目移しする。コース６の編成が完了した時点では、コース１の状態から積層部４および積層部４と重なる後側編地部３のループが１本置きの針に係止される針抜きのループ配置となり、それ以外の部分は全針のループ配置となる。
コース１〜６に示す様に、積層部４を針抜きのループ配置とする際に、移動させる積層部４のループと積層部４より編地側端側に位置するループを反対側の針ベッド上に移動させ、前後ベッドをラッキングして積層部４のループを適宜の針に移し戻してループ配置を変更した。このように編成することで、同じループを前後針ベッド間で何度も目移しすることなくループ配置を変更することができる。したがって、積層部４の幅が広くウエール数が多い場合でも前後針ベッド間で繰り返し目移しを行う必要がなく、糸切れやループが伸ばされる等の問題が発生しない。また、積層部４の中央を境界として左右対称に編成を行うことで１方向へのラッキングで左右２目づつの移動が可能となり編成効率が良い。
コース７では下部前ベッドＦＤの針Ｗ〜Ｐに給糸するとともに、下部前ベッドＦＤの針Ｎ・Ｌ・Ｊおよび上部後ベッドＢＵの針ｏ・ｍ・ｋに給糸して中層部２ｂのループを上部後ベッドの針ｋ・ｍ・ｏに新たに形成する。針Ｎ・Ｌ・Ｊはニット、針ｏ・ｍ・ｋは空針ニットである。空針ニットとはループを係止していない針のフック内に新たに編糸を係止させることを意味する。コース８では上部後ベッドＢＵの針ｋ・ｍ・ｏおよび下部前ベッドＦＤの針Ｐ〜Ｗに給糸して中層部２ｂを形成する。なおコース７，８での上部後ベッドＢＵの針に代えて下部後ベッドＢＤの針を使用して編成してもよい。この時、図４において針抜きのループ配置とされた中層部２ｂのループは周りのループと同じ大きさで形成すると、全針のループ配置で編成される周りの部分のループよりシンカーループが大きくなり、部分的に編地の風合いが異なってしまう。したがって中層部２ｂのループを積層部４以外のループよりも細かく、編成完了後にシンカーループがニードルループ内に吸収された時に積層部以外のループと風合いが同じになるような大きさのループ（以後、度詰めループと呼ぶ）として形成する。
コース９では上部後ベッドＢＵの中層部２ｂのループを裏層部２ｃの編成の邪魔にならない下部前ベッドＦＤの針Ｋ・Ｍ・Ｏに目移しする。コース１０では後側編地部３を編成する。この時、積層部４と同じ様に針抜きのループ配置とした積層部４と向き合う部分の後側編地部３ａ（下部後ベッドＢＤの針ｊ・ｌ・ｎ）で形成するループを度詰めループとして形成する。１コース内で度詰めループとそれより大きなノーマルループを混在させて編成可能な横編機に関しては特開平８−６０４９９号公報に詳細に開示されている。しかし針抜きのループ配置で形成される度詰めループと、全針のループ配置で形成されるノーマルループで形成される部分を同じ風合いとするためには度詰めループとノーマルループの度目値をより大きくできるものが望まれる。コース１１では下部前ベッドＦＤの針Ａ〜Ｈおよび針Ｊ・Ｌ・Ｎ・Ｐおよび下部後ベッドＢＤの針ｉ・ｋ・ｍ・ｏに給糸して裏層部２ｃのループを新たに形成する。コース１２では下部後ベッドＢＤの針ｏ・ｍ・ｋ・ｉに給糸して裏層部２ｃを度詰めループで編成するとともに下部前ベッドＦＤの針Ｈ〜Ａに給糸してニットする。この様に本実施例ではコース７・８で表層編地部２ａと中層編地部２ｂがつながった状態で形成し、コース１１・１２で表層編地部２ｂと裏層編地部２ｃがつながった状態で形成している。したがって、開口部５の下端では表層編地部２ａ、中層編地部２ｂ、裏層編地部２ｃが閉じられる。コース１３では後側編地部３の編成に先立って裏層部２ｃのループを上部前ベッドＦＵに目移しする。コース１４ではコース１０と同様に積層部４と向き合う部分３ａを度詰めループとして後側編地部３を形成する。
コース１５では表層部２ａの編成に先立って中層部２ｂのループを下部後ベッドＢＤに目移しする。コース１６では表層部２ａの編成に先立って中層部２ｂを上部後ベッドＢＵに目移しする。コース１７では針Ｗ〜Ｐを通常の大きさのループ及び表層部２ａを度詰めループで形成する。コース１８では下部前ベッドＦＤの針Ｐにタックするとともに、上部後ベッドＢＵの中層部２ｂを度詰めループで編成する。ここで針Ｐにタックを行うことで表層編地部２ａと中層編地部２ｂがその右端で閉じられチューブ状となる。コース１９では上部後ベッドで中層部２ｂを度詰めループで編成する。コース２０では表層部２ａを度詰めループで形成するとともに、針Ｐ〜Ｗで前側編地部２を編成する。コース２１では後側編地部３の編成に先立って中層部２ｂを下部前ベッドＦＤに目移しするとともに、コース２２では裏層部２ｃを上部前ベッドＦＵに移動させる。コース２３では積層部４と向き合う部分のループを度詰めループとして後側編地部３を編成する。コース２４では裏層部２ｃを下部後ベッドＢＤに目移しする。コース２５では下部前ベッドの針Ａ〜Ｈを通常ループで下部後ベッドの裏層部２ｃを度詰めループで形成する。コース２６では左行きで裏層部２ｃを度詰めループで形成し、下部前ベッドの針Ａ〜Ｈを通常ループで形成する。以降、コース１３〜２６の編成を繰り返すことで積層部４と後側編地部３が四層に重なった状態で編成される。図１において編地を前面側から見て積層部の１番表側に位置する部分が表目、２番目に位置する部分が裏目、３番目に位置する部分が裏目、４番目に位置する後側編地部３ａは裏目で形成される。
積層部４の形成完了後、積層部４のループ配置を元の全針のループ配置に戻す編幅減幅ステップｓ６をコース２７から説明する。コース２７では中層部２ｂを上部後ベッドへ目移しし、コース２８で後ベッドを左に１ピッチにラッキングして下部前ベッド上の表層部２ａと重ねる。続いてコース２９では後ベッドを右１ピッチにラッキングして裏層部２ｃを下部前ベッドの表層部２ａおよび中層部２ｂと重ねる。コース３０およびコース３１では積層部４及び積層部４と向き合う部分の後側編地部３のループを度詰めループとして前側編地部２及び後側編地部３にそれぞれ次コースのループを形成する。コース３２では積層部４の中央に位置する針Ｌ・Ｉを境界として右側に位置する下部前ベッドＦＤの針Ｎの積層部４のループおよび積層部４より編地側端側に位置する前側編地部２のループを上部後ベッドＢＵに目移しする。同様に針Ｌ・Ｉの左側に位置する下部後ベッドＢＤの針ｉの積層部４のループおよび積層部４より編地側端側に位置する後側編地部３のループを上部前ベッドＦＵに目移しする（積層部４及び積層部４に隠れる後側編地部３ａのループを黒丸で示す）。コース３３では後ベッドを左１ピッチにラッキングし、上部後ベッドＢＵの針ｎのループを下部前ベッドＦＤの針Ｍに、上部前ベッドＦＵの針Ｊのループを下部後ベッドＢＤの針ｋに目移しする。コース３４では上部後ベッドＢＵの針ｐ〜ｗのループを下部前ベッドＦＤの針Ｎ〜Ｕに、上部前ベッドＦＵの針Ａ〜Ｈのループを下部後ベッドＢＤの針ｃ〜ｊに目移しする。コース３５では下部後ベッドＢＤの針ｐ〜ｗのループを上部前ベッドＦＵの針Ｎ〜Ｕに目移しすると同時に下部前ベッドＦＤの針Ａ〜Ｈおよび針Ｊのループを上部後ベッドＢＵの針ｃ〜ｊと針１に目移しする。コース３６では後ベッドを左１ピッチにラッキングし下部後ベッドＢＤの針ｎのループを上部前ベッドＦＵの針Ｍに、上部後ベッドＢＵの針Ｉのループを下部前ベッドＦＤの針Ｋに目移しする。コース３７では後ベッドを０ピッチに戻し、上部前ベッドＦＵの針Ｍ〜Ｕのループを下部後ベッドＢＤの針ｍ〜ｕに、上部後ベッドＢＵの針ｃ〜ｋのループを下部前ベッドＦＤの針Ｃ〜Ｊに目移しする。以上の編成によりループ配置が全針のループ配置へと戻される。以降コース３８で前後両針ベッドに環状に給糸し積層部４以降の部分を形成することで図１のタイツ１が編成される。
上記の様に本実施例によれば積層部４の風合いと積層部４以外の風合いの差がほとんどない編地を編成できる。また、針抜き編成が必要な部分だけを抜きのループ配置とすることで編地全体を針抜き状態で編成する方法に比べ針ベッド長の短い横編機で編成可能である。また、このようにすることで裾ゴム部分を全針で編成でき、度目を詰めることが可能となり、腰のある質感に優れた編地を編成できる。
次に第二実施例を図１０〜１６を使用して説明する。図１０−ａは第二実施例で編成する筒状編地１１を示す図である。図１０−ｂは図１０−ａのＹ−Ｙ線箇所の矢視方向の断面図である。図１−ｃは図１０−ａの筒状編地１１の針ベッド上での編幅の変化を示す図である。図１０−ｄは積層部編成時のループ配置を示す図である。第二実施例ではコース０がｓ１に、コース１〜８が編幅拡幅ステップｓ３に、コース９〜２３がｓ４に、コース２４〜３１が編幅減幅ステップｓ６に、コース３２がｓ７に相当する。筒状編地１１は前側編地部１２と後側編地部１３がその両端で連続する筒状の編地として編成される。
なお、第二実施例の編地を第一実施例の編み方により編成することも可能であるが、本実施例では針抜きのループ配置で形成されるループの数が少なく、度違いループの形成が必要な針の数が減少すること、および編成に必要な針の数が少なくて済む方法により編成する。本実施例では積層部で後側編地部が一層、前側編地部が二層で合わせて三層となる。前側編地部１２には第一実施例の多層部相当するポケット１４が形成される。ポケットが形成される部分ではポケット編地部１５がポケット編地部１５に隠れる部分の前側編地部１２ａ（以下ポケット内編地部とする）と積層状態で形成され、後側編地部１３と合わせて三層となる。第二実施例はポケット１４のみを針抜き状態とし、ポケット１４に隠れる部分の後側編地部１３は全針のループ配置のまま編成することを特徴とする。
以下編成コース図１１〜１６とともに説明する。図１１のコース１は編幅拡幅ステップｓ３を開始する前の編成コースを示す。前後両針ベッドの針ＣとｃおよびＵとｕのループ間の破線は前側編地部１２と後側編地部１３の境界を示す。コース１では前側編地部の右端に位置する特定数のループの給糸方向を変更し、それぞれのループを半回捻られたループとして形成する。捻られたループとして形成するループの数は、後述する回し込み編成の際に後側編地部１３の外側に目移しするループの数と同じである。捻る方向は回し込み編成の際に捻られる方向と逆方向である。コース２では積層部１４のループ及び積層部１４より編地側端側に位置するループを上部後ベッドＢＵに目移しする。続いて後ベッドを右１ピッチにラッキングした後、元の針ベッドに移し戻す。コース４では前ベッド上に係止されている前側編地部１２の右端のループを後ベッド上に係止されている後側編地部１３の右端のループの外側に目移しする。この目移しは前側編地部１２の積層部１４を針抜きのループ配置とする際に、前側編地部１２と後側編地部１３の側端ループ間の距離が離れすぎ糸切れが発生するのを防止するために行う。この目移しにより目移しされたループは予め逆方向に捻られて形成されているため目移しにより捻れが解消される。
続いてコース５ではポケット１４のループ及びポケット１４より外側に位置するループを後ベッド上に目移しする。続いて後ベッドを右１ピッチにラッキングした後、コース６で上部後ベッドＢＵ上のループを全て下部前ベッドＦＤに目移しする。以降コース２〜６の編成を繰り返し積層部１４が針抜きのループ配置となったコース７の状態とすることで編幅拡幅ステップが完了する。この時、ポケット１４が針抜きのループ配置、他の部分は全針のループ配置となっている。続いてコース８では、編地の編成完了時にポケット１４とポケット以外の風合いが等しくなるようにポケット１４をポケット以外の部分のループよりも細かな度詰めループで形成するとともに編地全体に給糸する。コース９ではポケット内編地部となるループを新たに形成するため、前ベッドの針Ｗ〜Ｒおよび前ベッドの針Ｐ・Ｎ・Ｌ・Ｊおよび後ベッドの針ｑ・ｏ・ｍ・ｋに給糸する。針Ｊはタック、針ｑ・ｏ・ｍ・ｋは空針ニット、それ以外はニットである。
コース１０ではポケット内編地部１２ａを度詰めループで形成するとともに右側の前側編地部１２を編成する。コース１１では後側編地部１３の編成に先立ってポケット内編地部１２ａを下部前ベッドＦＤに目移しする。コース１２では後側編地部１３及び後ベッド上に回し込まれた部分の前側編地部１２を通常の大きさのループで形成する。コース１３ではポケット内編地部１２ａを上部後ベッドに目移しする。コース１４では左側の前側編地部１２を通常の大きさのループで、ポケット部１５を度詰めループ編成する。コース１５ではポケット内編地部１２ａを度詰めループで、左側の前側編地部１２を通常の大きさのループとして編成する。コース１６ではポケット内編地部１２ａを下部前ベッドＦＤに目移しする。コース１７では後側編地部１３及び回し込まれた前側編地部１２を編成する。コース１８ではポケット内編地部１２ａを上部後ベッドＢＵに目移しし、コース１９ではポケット編地部１５を度詰めループで、右側の前側編地部１２を通常の大きさのループで編成する。コース２０ではポケット内編地部１２ａを度詰めループで、右側の前側編地部１２を通常の大きさのループで編成する。コース２１ではポケット内編地部１２ａを下部前ベッドＦＤに目移ししコース２２では後側編地部１３を編成する。以降コース１３〜２２の編成を繰り返すことで三層の積層部１４が形成される。
そしてコース２３ではポケット内編地部１２ａのループを上部後ベッドに目移しした後、図示せぬ編成においてポケット編地部１５の最終コースのループが伏目処理編成により解れ止め処理されて針から外される。コース２４ではポケット内編地部１２ａを下部針ベッドに目移しする。コース２５よりポケット１４を全針のループ配置に戻す編幅減幅ステップを開始する。コース２５では後側編地部１３及び後ベッド上に回し込まれた前側編地部１２のループを形成する。この時、前側編地部１２のループを形成する際に給糸方向を変更し、後に行う回し込み編成の際に捻られる方向と逆方向に捻られたループとして形成する。コース２６では前側編地部１２を１コース編成する。コース２７ではポケット１４及びポケット１４より編地側端側に位置するループを上部後ベッドＢＵに目移しし、コース２８では後ベッドを左１ピッチにラッキングし前ベッドに目移しする。コース２９では下部後ベッド上の右側端のループを下部前ベッドの右側端のループの外側に目移しする。この編成は前ベッド上に係止される編地部分と後ベッド上に係止される編地部分の側端ループ同士が離れ過ぎるのを防止する回し込み編成である。コース３０ではポケット１４のループ及びポケット１４より外側に位置するループを上部後ベッドＢＵに目移ししコース３１で下部前ベッドＦＤに目移しする。コース２７〜３１に示される編成を繰り返すことでコース３２のようにポケット１４のループが全針のループ配置に戻る。以降、コース３２で前後両針ベッドに環状に給糸してポケット１４以降の部分を形成することで筒状編地１１が完成する。
本実施例の編成方法はポロシャツやセーターの前立てなど上記実施例で説明した以外の部位の編成にも利用できる。また、上記実施例では平編組織で編成する場合を説明したがリブ編組織で編成することも可能である。その他の構成についても当業者が容易に考え得る範囲内で適宜構成を変更することが可能である。また、上記実施例では筒状編地を編成する場合を説明したが、例えばカーディガンの身頃の様に完全な筒状ではない編地を編成することも可能である。また、上記実施例においては四枚ベッド横編機で編成する場合を説明したが二枚ベッド横編機でも実施可能である。なお、上記実施例においては、編幅拡幅ステップを多層部の編成を開始する箇所で行ったが、多層部の編成を開始する箇所より前に行ってもよい。また、上記実施例では編幅減縮ステップを多層部の編成が完了した時点で行ったが、多層部の編成が完了した後も編幅減縮ステップを行うことなく最後まで編成してもよい。
【図１】
2004020720.tif 000003
【図２】
2004020720.tif 000004
【図３】
2004020720.tif 000005
【図４】
2004020720.tif 000006
【図５】
2004020720.tif 000007
【図６】
2004020720.tif 000008
【図７】
2004020720.tif 000009
【図８】
2004020720.tif 000010
【図９】
2004020720.tif 000011
【図１０】
2004020720.tif 000012
【図１１】
2004020720.tif 000013
【図１２】
2004020720.tif 000014
【図１３】
2004020720.tif 000015
【図１４】
2004020720.tif 000016
【図１５】
2004020720.tif 000017
【図１６】
2004020720.tif 000018
【国際調査報告】
2004020720.tif 000019
2004020720.tif 000020
2004020720.tif 000021
2004020720.tif 000022